(57)【要約】【課題】乗客が所有する携帯端末から乗客の属性を読み取り、管制運転時に乗客の属性に合わせて救出運転の帰着順序を決定するエレベータの災害時管制運転システムを得る。【解決手段】エレベータ１の各かご内にそれぞれ設けられ、乗客の所有する携帯端末のＩＤ情報を受信するＩＤ受信装置２と、各ＩＤ受信装置からのＩＤ情報を受信し、それを集計する乗客情報収集装置３と、乗客情報収集装置から伝送される集計情報に基づいて乗客の属性からエレベータ毎の評価値を算出し評価する集計情報評価手段４ｂと、集計情報評価手段の集計情報評価結果に基づいてエレベータ制御信号を伝送するエレベータ制御手段４ｃと、災害発生時にエレベータ制御手段から伝送されるエレベータの制御信号により、各エレベータを優先順位の大きい順に救出運転を行う各台エレベータ制御装置５とを備える。【選択図】図１
2008137762.tif 000002
【特許請求の範囲】
【請求項１】
エレベータの各かご内にそれぞれ設けられ、乗客の所有する携帯端末のＩＤ情報を受信するＩＤ受信装置と、
前記各ＩＤ受信装置からのＩＤ情報を受信し、それを集計する乗客情報収集装置と、
前記乗客情報収集装置から伝送される集計情報に基づいて乗客の属性からエレベータ毎の評価値を算出し評価する集計情報評価手段と、
前記集計情報評価手段の集計情報評価結果に基づいてエレベータ制御信号を伝送するエレベータ制御手段と、
災害発生時に前記エレベータ制御手段から伝送されるエレベータの制御信号により、前記各エレベータを優先順位の大きい順に救出運転を行う各台エレベータ制御装置と、
を備えたことを特徴とするエレベータの災害時管制運転装置。
【請求項２】
ＩＤ受信装置は、自動的に乗客のＩＤ情報を受信することを特徴とする請求項１記載のエレベータの災害時管制運転装置。
【請求項３】
エレベータの各かご内にそれぞれ設けられ、乗客の所有する携帯端末のＩＤ情報を受信するＩＤ照合装置と、
前記各ＩＤ照合装置からのＩＤ情報を受信し、それを集計する乗客情報収集装置と、
前記乗客情報収集装置から伝送される集計情報に基づいて乗客の属性からエレベータ毎の評価値を算出し評価する集計情報評価手段と、
前記集計情報評価手段の集計情報評価結果に基づいてエレベータ制御信号を伝送するエレベータ制御手段と、
災害発生時に前記エレベータ制御手段から伝送されるエレベータの制御信号により、前記各エレベータを優先順位の大きい順に救出運転を行う各台エレベータ制御装置と、
を備えたことを特徴とするエレベータの災害時管制運転装置。
【請求項４】
ＩＤ照合装置は、少なくとも子供用ＩＤ照合装置、お年寄り用ＩＤ照合装置、女性用ＩＤ照合装置のいずれか一つを含むことを特徴とする請求項３記載のエレベータの災害時管制運転装置。
【請求項５】
ＩＤ照合装置は、少なくとも子供選択ボタン、お年寄り用選択ボタン、女性用選択ボタンのいずれか一つを含むことを特徴とする請求項３記載のエレベータの災害時管制運転装置。
【請求項６】
集計情報評価手段は、乗客の属性のうち、子供とお年寄りの評価値を大きくしたことを特徴とする請求項１〜請求項５のいずれかに記載のエレベータの災害時管制運転装置。
【発明の詳細な説明】
【技術分野】
【０００１】
この発明は、エレベータの災害時管制運転システムに関するものである。
【背景技術】
【０００２】
正確かつ迅速に居住空間内在席者を認識でき、居住空間における各種制御を適切に実行させることができる居住空間監視制御装置を用いて、監視対象場所に居る者を特定し、その特定結果をエレベータ群管理装置において、エレベータホール内到着人数を算定してエレベータ群管理を実行する際に利用するものが従来から知られている（例えば、特許文献１参照）。
【０００３】
また、災害時に建物内の在館者の避難方法を作成する避難方法作成部、及び災害時に避難方法作成部により作成された避難方法に従ってエレベータの運行を制御する運行制御部を備え、災害時の避難効率を向上させることができるエレベータの制御装置が知られている(例えば、特許文献２参照)。
【０００４】
【特許文献１】特開平９−４８５６５号公報
【特許文献２】特開２００５−１０４６３０号公報
【発明の開示】
【発明が解決しようとする課題】
【０００５】
従来の居住空間監視制御装置を用いてエレベータ群管理を実行するものでは、携帯者個人を識別するための情報を少なくとも異なる３カ所で受信して、監視対象場所に居る者を特定し、空調、照明の制御、及びエレベータの群管理制御、並びに災害管理、避難誘導監視などを行っているため、システムが非常に大掛かりであり、高価であった。
【０００６】
また、従来のエレベータの制御装置では、災害時の避難救出に当たって、社会的弱者（子供、身障者、お年寄り等）を優先して救出するように考慮されたものではなかった。
【０００７】
この発明は、上述のような課題を解決するためになされたもので、乗客が所有する携帯端末から乗客の属性を読み取り、管制運転時に乗客の属性に合わせて救出運転の帰着順序を決定するエレベータの災害時管制運転システムを提供するものである。
【課題を解決するための手段】
【０００８】
この発明に係るエレベータの災害時管制運転システムにおいては、エレベータの各かご内にそれぞれ設けられ、乗客の所有する携帯端末のＩＤ情報を受信するＩＤ受信装置と、各ＩＤ受信装置からのＩＤ情報を受信し、それを集計する乗客情報収集装置と、乗客情報収集装置から伝送される集計情報に基づいて乗客の属性からエレベータ毎の評価値を算出し評価する集計情報評価手段と、集計情報評価手段の集計情報評価結果に基づいてエレベータ制御信号を伝送するエレベータ制御手段と、災害発生時にエレベータ制御手段から伝送されるエレベータの制御信号により、各エレベータを優先順位の大きい順に救出運転を行う各台エレベータ制御装置とを備えたものである。
【発明の効果】
【０００９】
この発明によれば、災害時の避難救出に当たって、社会的弱者（子供、身障者、お年寄り等）が多く乗り合わせたエレベータを優先させて救出することができる。また、乗客の属性に合わせたサービスを提供することができる。
【発明を実施するための最良の形態】
【００１０】
実施の形態１．
図１はこの発明の実施の形態１におけるエレベータの災害時管制運転システムの全体構成を示すシステム構成図、図２はこの発明の実施の形態１におけるエレベータの災害時管制運転システムの乗客情報収集装置を示すブロック図、図３はこの発明の実施の形態１におけるエレベータの災害時管制運転システムの群管理盤を示すブロック図、図４はこの発明の実施の形態１におけるエレベータの災害時管制運転システムの収集情報例を示す図、図５はこの発明の実施の形態１におけるエレベータの災害時管制運転システムの動作を説明するためのフローチャートである。
【００１１】
図１〜図３において、複数台からなり群管理される各エレベータ１は、その各かご内に乗客の所有する携帯端末のＩＤ情報を自動的に受信するＩＤ受信装置２が設けられている。乗客は何もしなくても乗客が所有する携帯端末のＩＤ情報を利用してＩＤ受信装置２が受信するように構成されている。受信されたＩＤ情報は各ＩＤ受信装置２から乗客情報収集装置３に送信される。乗客情報収集装置３は、ＩＤ受信装置２からのＩＤ情報を受信するＩＤ情報受信手段３ａと、受信したＩＤ情報を集計するＩＤ情報集計手段３ｂと、集計した集計情報を伝送する集計情報伝送手段３ｃとを備えている。乗客情報収集装置３の集計情報伝送手段３ｃから伝送される集計情報が群管理盤４に伝送される。群管理盤４は、集計情報を受信する集計情報受信手段４ａと、集計情報に基づいて乗客の属性（例えば、子供、男性、女性、お年寄り、身障者等、）からエレベータ毎の評価値を算出し評価する集計情報評価手段４ｂと、集計情報評価結果に基づいてエレベータ制御信号を伝送するエレベータ制御手段４ｃとを備えている。災害発生時に群管理盤４のエレベータ制御手段４ｃから伝送されるエレベータ制御信号により、エレベータ１の各台エレベータ制御装置５に伝送され、各エレベータ１は優先順位の大きい順に救出運転を行う災害時管制運転を実施する。
【００１２】
次に、エレベータの災害時管制運転システムの集計情報例について、図４により説明する。
図４において、エレベータの乗客の集計情報として、例えば、かご内の乗客の属性（例えば、子供、男性、女性、お年寄り等の人数）、目的階が集計されている例である。すなわち、１号機では、乗客の属性が子供４人、男性２人、女性２人、お年寄り０人であり、目的階が４階１人、５階２人、７階５人である。また２号機では、乗客の属性が子供０人、男性６人、女性２人、お年寄り０人であり、目的階が１階８人である。また３号機では、乗客の属性が子供０人、男性４人、女性２人、お年寄り２人であり、目的階が１階６人、３階２人である。
【００１３】
次に、エレベータの災害時管制運転システムの動作について、図５により説明する。
先ず、ステップＳ１で災害により停電が発生したとすると、ステップＳ２でエレベータの号機ＮＯ.を初期化する。次に、ステップＳ３でＮ号機の評価値ＰＮを計算する。この評価値計算は、ＰＮ＝１０×（Ｎ号機に乗車している子供の人数）＋１×（Ｎ号機に乗車している男性の人数）＋５×（Ｎ号機に乗車している女性の人数）＋１０×（Ｎ号機に乗車しているお年寄りの人数）で実施される。全号機についての評価値計算が終了するまでは、号機ＮＯ.を１つ進める（ステップＳ４）。全号機についての評価値計算が終了すると（ステップＳ５）、各号機における評価値ＰＮを比較する（ステップＳ６）。この例では、１号機の評価値Ｐ１＝５２、２号機の評価値Ｐ２＝１６、３号機の評価値Ｐ３＝３４である。そして、次のステップＳ７で群管理盤４は評価値ＰＮの大きい順（社会的弱者の優先順）にエレベータ１の各台エレベータ制御装置５に対し救出運転を行う。この例では、１号機、３号機、２号機の順に救出運転がなされる。
【００１４】
実施の形態２．
図６はこの発明の実施の形態２におけるエレベータの災害時管制運転システムの全体構成を示すシステム構成図である。
【００１５】
上記実施の形態１では、乗客は何もしなくても乗客が所有する携帯端末のＩＤ情報を利用してＩＤ受信装置２が自動的に受信するように構成したが、この実施の形態２においては、図６に示すように、乗客が携帯端末をかご内に設けられたＩＤ照合装置６に自らかざすことにより、ＩＤ照合装置６がかざされた携帯端末から乗客のＩＤ情報を受信するようにしたものである。上記以外の構成は、図示を省略しているが、実施の形態１とほぼ同様である。
【００１６】
実施の形態３．
図７はこの発明の実施の形態３におけるエレベータの災害時管制運転システムのＩＤ照合装置の構成を示すブロック図である。
【００１７】
この実施の形態３においては、図７に示すように、かご内に子供用ＩＤ照合装置６ａ、女性用照合装置６ｂ、お年寄り用照合装置６ｃをそれぞれ別々に設置し、各乗客が自らの携帯端末を、子供は子供用ＩＤ照合装置６ａ、女性は女性用ＩＤ照合装置６ｂ、お年寄りはお年寄り用ＩＤ照合装置６ｃにかざすことにより、各ＩＤ照合装置６ａ〜６ｃにかざされた携帯端末から乗客のＩＤ情報を受信するようにしたものである。上記以外の構成は、図示を省略しているが、実施の形態１とほぼ同様である。
【００１８】
実施の形態４．
図８はこの発明の実施の形態４におけるエレベータの災害時管制運転システムのＩＤ照合装置の構成を示すブロック図である。
【００１９】
この実施の形態４においては、図８に示すように、かご内にＩＤ照合装置６と、このＩＤ照合装置６をそれぞれ子供用、女性用、お年寄り用に切替選択できる子供選択ボタン７ａ、女性選択ボタン７ｂ、お年寄り選択ボタン７ｃをそれぞれ別々に設置したものである。これにより、子供は子供選択ボタン７ａ、女性は女性選択ボタン７ｂ、お年寄りはお年寄り選択ボタン７ｃを押し下げてから、各乗客が所有している携帯端末をＩＤ照合装置６にかざすようにしたものである。上記以外の構成は、図示を省略しているが、実施の形態１とほぼ同様である。
【図面の簡単な説明】
【００２０】
【図１】この発明の実施の形態１におけるエレベータの災害時管制運転システムの全体構成を示すシステム構成図である。
【図２】この発明の実施の形態１におけるエレベータの災害時管制運転システムの乗客情報収集装置を示すブロック図である。
【図３】この発明の実施の形態１におけるエレベータの災害時管制運転システムの群管理盤を示すブロック図である。
【図４】この発明の実施の形態１におけるエレベータの災害時管制運転システムの収集情報例を示す図である。
【図５】この発明の実施の形態１におけるエレベータの災害時管制運転システムの動作を説明するためのフローチャートである。
【図６】この発明の実施の形態２におけるエレベータの災害時管制運転システムの全体構成を示すシステム構成図である。
【図７】この発明の実施の形態３におけるエレベータの災害時管制運転システムのＩＤ照合装置の構成を示すブロック図である。
【図８】この発明の実施の形態４におけるエレベータの災害時管制運転システムのＩＤ照合装置の構成を示すブロック図である。
【符号の説明】
【００２１】
１  複数台からなり群管理される各エレベータ
２  ＩＤ受信装置
３  乗客情報収集装置
３ａ  ＩＤ情報受信手段
３ｂ  ＩＤ情報収集手段
３ｃ  集計情報伝送手段
４  群管理盤
４ａ  集計情報受信手段
４ｂ  集計情報評価手段
４ｃ  エレベータ制御手段
５  各台エレベータ制御装置
６  ＩＤ照合装置
６ａ  子供用ＩＤ照合装置
６ｂ  女性用ＩＤ照合装置
６ｃ  お年寄り用ＩＤ照合装置
７ａ  子供選択ボタン
７ｂ  女性選択ボタン
７ｃ  お年寄り選択ボタン
【図１】
2008137762.tif 000003
【図２】
2008137762.tif 000004
【図３】
2008137762.tif 000005
【図４】
2008137762.tif 000006
【図５】
2008137762.tif 000007
【図６】
2008137762.tif 000008
【図７】
2008137762.tif 000009
【図８】
2008137762.tif 000010